(57)【特許請求の範囲】
【請求項１】
現在時刻を計数する計時手段と、
設定された動作時刻に所定の時刻報知動作を実行させる時刻報知手段と、
時刻報知動作を実行可能な外部機器との間で無線通信によりデータの送受信を行う無線通信手段と、
前記無線通信手段により取得された前記外部機器における時刻報知動作の設定データ、及び、前記外部機器の電源状態の情報に基づいて、前記時刻報知手段の動作可否、及び、前記動作時刻に係る補完動作設定を行う補完動作設定手段と、
を備えることを特徴とする腕装着型端末。
【請求項２】
前記補完動作設定手段は、
前記無線通信手段により取得された前記外部機器の電源状態がオフの間、前記補完動作設定に従って前記時刻報知手段が動作可能となるように設定する
ことを特徴とする請求項１に記載の腕装着型端末。
【請求項３】
前記時刻報知手段の動作可否、及び、前記動作時刻に係る動作設定を操作入力する操作手段と、
当該操作手段により設定された前記動作設定と、前記補完動作設定とを別個に記憶する設定記憶手段と、
を備え、
前記時刻報知手段は、前記動作設定及び前記補完動作設定の各々に基づいて前記所定の時刻報知動作を実行させる
ことを特徴とする請求項１又は２に記載の腕装着型端末。
【請求項４】
前記補完動作設定には、前記時刻報知手段の動作可否に係る設定と、前記無線通信手段による前記外部機器との通信接続状態とを連動させるか否かを示す報知フラグが含まれ、
前記補完動作設定手段は、
前記外部機器との通信接続が切断されている間、前記報知フラグに基づいて前記時刻報知手段の動作可否の設定を行う
ことを特徴とする請求項１〜３の何れか一項に記載の腕装着型端末。
【請求項５】
現在時刻を計数する外部計時手段と、
設定された外部動作時刻に時刻報知動作を実行させる外部時刻報知手段と、
前記外部時刻報知手段の動作可否、及び、前記外部動作時刻に係る外部動作設定を入力操作する外部操作手段と、
前記外部操作手段により入力操作された前記外部時刻報知手段についての外部動作設定を記憶する外部設定記憶手段と、
前記外部設定記憶手段に記憶された前記外部動作設定を、時刻報知動作が実行可能な他の機器へ送信可能な外部無線通信手段と、
を備える外部機器と、
請求項１〜３の何れか一項に記載の腕装着型端末と、
を備える時刻報知機能補完システムであって、
前記外部機器の電源がオフされる際には、前記外部動作設定に含まれる前記外部時刻報知手段の動作可否に係る設定が前記外部無線通信手段により前記腕装着型端末に送信されて、前記補完動作設定が更新され、
前記外部機器の電源がオンされると、前記外部無線通信手段により、時刻報知動作をオフする設定が前記腕装着型端末に送信されて、前記補完動作設定が更新される
ことを特徴とする時刻報知機能補完システム。
【請求項６】
前記外部操作手段は、操作入力に基づいて当該外部機器の電源を手動でオフすることが可能であり、当該外部機器の電源をオフする際に、前記外部設定記憶手段に記憶された前記外部時刻報知手段の動作可否に係る設定を前記外部無線通信手段により前記腕装着型端末に送信するか否かを選択操作可能である
ことを特徴とする請求項５に記載の時刻報知機能補完システム。
【請求項７】
前記外部設定記憶手段に記憶された前記外部動作時刻に係る設定が変更された場合には、前記外部無線通信手段は、前記変更された外部動作時刻に係る設定を前記腕装着型端末に前記動作時刻として送信する
ことを特徴とする請求項５又は６に記載の時刻報知機能補完システム。
【請求項８】
前記外部機器は、
前記腕装着型端末における前記時刻報知手段の動作可否に係る設定と、前記無線通信手段による前記腕装着型端末との通信接続状態とを連動させるか否かを示す報知フラグを設定する報知フラグ設定手段を備え、
前記補完動作設定には、前記無線通信手段により取得された前記報知フラグが含まれ、
前記補完動作設定手段は、
前記外部機器との通信接続が切断されている間、前記報知フラグに基づいて前記時刻報知手段の動作可否の設定を行う
ことを特徴とする請求項５〜７の何れか一項に記載の時刻報知機能補完システム。
【請求項９】
現在時刻を計数する計時手段と、外部機器との間で通信データの送受信を行う無線通信手段と、を備えるコンピュータを、
設定された動作時刻に所定の時刻報知動作を実行させる時刻報知手段、
前記無線通信手段により取得された前記外部機器における時刻報知動作の設定データ、及び、前記外部機器の電源状態の情報に基づいて、前記時刻報知手段の動作可否、及び、前記動作時刻に係る補完動作設定を行う補完動作設定手段、
として機能させるためのプログラム。
【発明の詳細な説明】
【技術分野】
【０００１】
この発明は、外部機器の時刻報知機能を補完する腕装着型端末、時刻報知機能補完システム、及び、プログラムに関する。
【背景技術】
【０００２】
従来、ブルートゥース（登録商標：Bluetooth）といった近距離無線通信技術を用いて外部機器と通信可能な電子腕時計がある。このような腕時計において、携帯電話から時刻データを受信して腕時計の時刻を修正する技術が提案されている（例えば、特許文献１）。
【０００３】
一方、携帯電話やスマートフォンといった携帯端末には、近年、種々の機能が搭載されるようになっており、従来、ユーザが複数の携帯装置を用いて実行していたアラーム機能（時刻報知機能）やスケジュール管理機能などの多くの機能がこれらの携帯端末単独で実行可能となっている。
【先行技術文献】
【特許文献】
【０００４】
【特許文献１】特開２００９−１１８４０３号公報
【発明の概要】
【発明が解決しようとする課題】
【０００５】
しかしながら、これらの携帯端末においては、バッテリ残量が不足して電源が切れてしまう場合がある。この様な状況が発生すると、携帯端末で設定していた機能がユーザの意図に反して利用不可能となるという課題がある。特に、アラーム機能といった、時刻情報と連動して実行される機能がユーザの知らない間に携帯端末の電池切れによって利用できなくなった結果、ユーザがスケジュール管理に失敗する虞が生じるという課題がある。
【０００６】
この発明の目的は、外部機器の時刻報知機能を自動的に補完して実行することの出来る腕装着型端末、時刻報知機能補完システム、及び、プログラムを提供することにある。
【課題を解決するための手段】
【０００７】
上記目的を達成するため、本発明は、
現在時刻を計数する計時手段と、
設定された動作時刻に所定の時刻報知動作を実行させる時刻報知手段と、
時刻報知動作を実行可能な外部機器との間で無線通信によりデータの送受信を行う無線通信手段と、
前記無線通信手段により取得された前記外部機器における時刻報知動作の設定データ、及び、前記外部機器の電源状態の情報に基づいて、前記時刻報知手段の動作可否、及び、前記動作時刻に係る補完動作設定を行う補完動作設定手段と、
を備えることを特徴とする腕装着型端末である。
【発明の効果】
【０００８】
本発明に従うと、腕装着型端末において、外部機器の時刻報知機能を容易に補完して実行することが出来るという効果がある。
【図面の簡単な説明】
【０００９】
【図１】本発明の実施形態のアラーム補完システムの構成を示す図である。
【図２】アラーム補完システムを構成する電子時計の内部構成を示すブロック図である。
【図３】アラーム補完システムを構成する携帯電話の内部構成を示すブロック図である。
【図４】電子時計のＣＰＵにより実行されるBluetooth通信処理の制御手順を示すフローチャートである。
【図５】携帯電話のＣＰＵにより実行されるアラーム設定処理の制御手順を示すフローチャートである。
【図６】携帯電話のＣＰＵにより電源切断時に実行される処理の制御手順を示すフローチャートである。
【図７】携帯電話のＣＰＵにより実行される電源投入処理の制御手順を示すフローチャートである。
【図８】第２実施形態のアラーム補完システムにおいて、携帯電話のＣＰＵにより実行される電源オフ処理の制御手順を示すフローチャートである。
【図９】第３実施形態のアラーム補完システムにおいて、電子時計のＣＰＵにより実行されるBluetooth通信処理の制御手順を示すフローチャートである。
【図１０】第３実施形態のアラーム補完システムにおいて、携帯電話のＣＰＵにより実行されるアラーム設定処理の制御手順を示すフローチャートである。
【図１１】第３実施形態のアラーム補完システムにおいて、携帯電話のＣＰＵにより電源切断時に実行される処理の制御手順を示すフローチャートである。
【発明を実施するための形態】
【００１０】
以下、本発明の実施の形態を図面に基づいて説明する。
【００１１】
図１は、本発明の実施形態のアラーム補完システムの構成を示す図である。
【００１２】
このアラーム補完システム１（時刻報知機能補完システム）は、腕装着型端末としての電子時計４０と、外部機器としての携帯電話１０とから構成される。電子時計４０は、時計本体とバンドとを備えた腕時計である。携帯電話１０は、基地局との無線通信を行う。電子時計４０及び携帯電話１０は、何れもブルートゥースなどの近距離無線通信機能を備えており、お互いに通信を行うことが可能となっている。
【００１３】
［第１実施形態］
図２は、本発明の第１実施形態の電子時計の内部構成を示すブロック図である。また、図３は、本発明の第１実施形態の携帯電話の内部構成を示すブロック図である。
【００１４】
電子時計４０は、図２に示すように、ＣＰＵ（Central Processing Unit）４１（時刻報知手段、補完動作設定手段）と、ＲＯＭ（Read Only Memory）４２と、ＲＡＭ（Random
Access Memory）４３と、操作部４４（操作手段）と、計時回路４５（計時手段）と、表示部４６及び表示部４６を駆動制御するドライバ４７と、無線通信手段としてのBluetoothモジュール４８及びＵＡＲＴ（Universal Asynchronous Receiver Transmitter）４９と、振動モータ５０及びそのドライバ５１と、ＬＥＤ（発光ダイオード）５２及びそのドライバ５３と、ピエゾ素子５４及びそのドライバ５５と、ＣＰＵ４１からの制御信号に基づいて音声を出力する音声出力部５６と、ＣＰＵ４１と各部との間で信号のやり取りをするバス５７などを備えている。
【００１５】
ＣＰＵ４１は、電子時計４０の全体動作の統轄制御及び各種演算処理を行う。ＣＰＵ４１は、計時回路４５の計数する現在時刻に基づいて表示部４６に時刻表示を行わせる。また、ＣＰＵ４１は、操作部４４の操作により設定された設定時刻（動作時刻）、及び／又は、外部機器から取得されたアラーム設定時刻（外部動作時刻）にドライバ５１、５３、
又は、５５に制御信号を送り、振動モータ５０、ＬＥＤ５２、又はピエゾ素子５４を動作させてアラーム報知（所定の時刻報知動作）を行わせる。ＣＰＵ４１は、アラーム補完プログラム４２ａを実行して、Bluetoothモジュールを介して携帯電話１０から取得されたアラーム設定に基づく動作を行わせる。
【００１６】
ＲＯＭ４２は、ＣＰＵ４１が実行する種々のプログラムや初期設定データを格納する。ＲＯＭ４２の格納するデータには、アラーム補完プログラム４２ａが含まれる。ＣＰＵ４１がこのアラーム補完プログラム４２ａを実行することで、携帯電話１０におけるアラーム設定が実行不能になった際に、電子時計４０が同一のアラーム機能を代わりに実行することで、携帯電話１０のアラーム機能の補完を行う。
【００１７】
ＲＡＭ４３は、ＣＰＵ４１に作業用のメモリ空間を提供する。またＲＡＭ４３は、アラーム設定データ記憶部４３ａ（設定記憶手段）を備え、Bluetoothモジュール４８を介して携帯電話１０から取得された携帯電話１０におけるアラーム設定データ（時刻報知設定データ）を記憶する（補完動作設定）。アラーム設定データとしては、アラーム報知機能のオンオフ設定、アラームの動作時刻、及び、アラーム動作時刻がセットされているか否かを示すアラームセットフラグが含まれる。アラーム報知機能は、初期状態では、オフに設定されており、アラームセットフラグは、初期状態では、リセット状態（未設定）に設定されている。
【００１８】
操作部４４は、１又は複数のキーを備え、ユーザが当該キーに対して行った操作に基づいて入力信号に変換して、ＣＰＵ１１に出力する。或いは、この操作部４４は、タッチパネルであっても良い。また、操作部４４への入力操作を通じて、電子時計４０において独自にアラーム報知機能の設定を行うことが出来る。この独自のアラーム報知設定は、アラーム設定データ記憶部４３ａに携帯電話１０から取得された設定データとは別個に記憶されて、各々のアラーム機能が実行される。
【００１９】
計時回路４５は、現在時刻を計数して保持するカウンタである。この現在時刻が読み出されて、表示部４６に表示されたり、当該現在時刻データと各種機能に係る設定時刻データと比較されて種々の動作が行われたりする。この計時回路４５が保持する現在時刻のデータは、ブルートゥース通信により外部機器から取得された時刻データや、操作部４４の操作により手動で入力された時刻データに基づいて書き換え可能に構成されている。
【００２０】
表示部４６は、例えば、ＬＣＤ（液晶表示ディスプレイ）である。ＣＰＵ４１から送られた制御信号によりドライバ４７（液晶ドライバ）が動作し、ＬＣＤに現在時刻、設定状態、或いは、各種機能のメニューなどの指定された内容に関する表示を行わせる。この表示部４６は、或いは、他の表示手段、例えば、ＥＬＤ（Electro-Luminescent Display）であっても良い。また、ドライバ４７は、表示部４６の種類に応じて適切に選択される。
【００２１】
Bluetoothモジュール４８は、アンテナＡＮ４を介して外部機器との間でブルートゥース通信を行うための制御モジュールである。ＣＰＵ４１から送られた送信データは、ＵＡＲＴ４９でシリアル／パラレル変換などの処理が行われて、Bluetoothモジュール４８から外部機器に送信される。また、外部機器からBluetoothモジュール４８を用いて受信された受信データは、ＵＡＲＴ４９でシリアル／パラレル変換などの処理が行われて、ＣＰＵ４１へ出力される。
【００２２】
振動モータ５０、ＬＥＤ５２、ピエゾ素子５４、及び、音声出力部５６は、それぞれ、振動、発光、ブザー音、各種音声（例えば、ビープ音）を発することで、ユーザに通知を行うためのものである。ＣＰＵ４１からドライバ５１、５３、５５にそれぞれ制御信号が送られると、各ドライバ５１、５３、５５は、振動モータ５０、ＬＥＤ５２、ピエゾ素子
５４を動作させるのに必要な電圧信号に変換して出力する。これらの通知手段は、アラーム機能（時刻報知）を行う際にも適宜選択されて用いられる。
【００２３】
携帯電話１０は、図３に示すように、ＣＰＵ１１（外部時刻報知手段、報知フラグ設定手段）と、ＲＯＭ１２と、ＲＡＭ１３と、記憶部１４（外部設定記憶手段）と、操作部１５（外部操作手段）と、内蔵時計１６（外部計時手段）と、表示部１７及びそのドライバ１８と、スピーカ１９と、マイク２０と、コーデック２１と、ＲＦ送受信回路２２と、ＲＦ送受信用のアンテナＡＮ１１と、通信回路２３と、Bluetoothモジュール２４（外部無線通信手段）と、ＵＡＲＴ２５と、近距離無線通信の送受信用アンテナＡＮ１２と、振動モータ２６及びそのドライバ２７と、電源部２８と、電源監視部２９と、ＣＰＵ１１と他の各部とを接続するバス３０などを備えている。
【００２４】
ＣＰＵ１１は、携帯電話１０の全体動作の統轄制御及び各種演算処理を行う。ＣＰＵ１１は、アラーム時刻の設定時や電源のオンオフ動作時にBluetoothモジュール２４に制御信号を送り、電子時計４０に対してアラーム設定を送信させる。
【００２５】
ＲＯＭ１２は、ＣＰＵ１１が実行する種々のプログラムや初期設定データを格納する。
ＲＡＭ１３は、ＣＰＵ１１に作業用のメモリ空間を提供する。
また、記憶部１４は、不揮発性の読み書き可能なメモリである。記憶部１４には、例えば、ＥＥＰＲＯＭ（Electrically Erasable and Programmable Read Only Memory）が用いられる。携帯電話１０において設定されたアラーム設定データは、この記憶部１４に記憶される。
【００２６】
操作部１５は、複数の操作キーを備え、ユーザが当該キーに対して行った操作に基づいて電気信号に変換し、入力信号としてＣＰＵ１１に出力する。或いは、この操作部１５には、タッチパネル及びタッチパネルの操作入力検出部を含むこととしても良い。
【００２７】
内蔵時計１６は、現在時刻を計数して保持するカウンタである。この現在時刻が読み出されて、表示部１７に表示される。また、当該現在時刻データと各種機能に係る設定時刻データと比較されて種々の動作が行われたりする。この内蔵時計１６の現在時刻データは、ＲＦ送受信回路２２による携帯基地局との通信時に随時修正される。
【００２８】
表示部１７は、例えば、ＬＣＤ（液晶表示ディスプレイ）である。ＣＰＵ１１から送られた制御信号によりドライバ１８（液晶ドライバ）が動作し、ＬＣＤに携帯電話１０の各種機能に係る表示を行わせる。この表示部１７は、他の表示手段、例えば、有機ＥＬＤ（Electro-Luminescent Display）であっても良い。また、ドライバ１８は、表示部１７の種類に応じて適切に選択される。
【００２９】
スピーカ１９は、コーデック２１からの信号に基づいて電気信号を音声信号に変換して音声を出力する。また、マイク２０は、音波を検知して電気信号に変換し、コーデック２１に出力する。コーデック２１は、入力された音声出力用デジタル信号をデコードしてアナログ信号としてスピーカ１９へ送るとともに、マイク２０から取得された音声信号をエンコードしてＣＰＵ１１や通信回路２３へ出力する。
【００３０】
ＲＦ送受信回路２２は、ＲＦ送受信用アンテナＡＮ１１を用いて携帯基地局との間で行われる通信の送受信処理を行う。また、通信回路２３は、ＲＦ送受信回路２２により送受信される送受信データの各種処理を行い、ＣＰＵ１１やコーデック２１との間でデータの受け渡しを行う。
【００３１】
Bluetoothモジュール２４は、アンテナＡＮ１２を介して電子時計４０などの外部機器
との間でブルートゥース通信を行うための制御モジュールである。ＣＰＵ１１から送られた送信データは、ＵＡＲＴ２５でシリアル／パラレル変換などの処理が行われて、Bluetoothモジュール２４から外部機器に送信される。また、外部機器からBluetoothモジュール２４を用いて受信された受信データは、ＵＡＲＴ２５でパラレル／シリアル変換などの処理が行われて、ＣＰＵ１１へ出力される。
【００３２】
振動モータ２６は、電話や電子メールの着信時などに、ドライバ２７により駆動されたモータの動作により振動を発生させる。
【００３３】
電源部２８は、バッテリを備え、携帯電話１０の各部に必要な電圧の電力供給を行う。この電源部２８からの電力供給は、ＣＰＵ１１からの信号に基づいてオンオフの切り替えが可能となっている。また、電源監視部２９は、電源部２８のバッテリ電圧を測定してＣＰＵ１１に出力する。或いは、電源監視部２９は、所定の閾値電圧とバッテリ電圧との大小を比較する比較器（コンパレータ）を備え、比較結果を出力することとしても良い。
【００３４】
次に、電子時計４０のアラーム補完機能について説明する。
【００３５】
図４は、本発明の第１実施形態のアラーム補完システム１において、電子時計４０によるブルートゥース通信が行われる際にアラーム補完処理に関してＣＰＵ４１により実行される制御処理の手順を示すフローチャートである。
【００３６】
この制御処理は、携帯電話１０との間で行われるブルートゥース通信について、動作が検知されると呼び出されて割り込み処理により実行される処理である。
【００３７】
Bluetooth通信処理が開始されると、電子時計４０のＣＰＵ４１は、先ず、携帯電話１０からデータが受信されたか否かを判別する（ステップＳ４０１）。携帯電話１０からのデータが受信されていないと判別された場合には、そのままBluetooth通信処理を終了する。
【００３８】
携帯電話１０からデータが受信されたと判別されると、次に、ＣＰＵ４１は、受信したデータがアラームセット信号であるか否かを判別する（ステップＳ４０２）。受信したデータがアラームセット信号ではないと判別された場合には、ＣＰＵ４１の処理は、ステップＳ４０７へ移行する。受信したデータがアラームセット信号であると判別された場合には、ＣＰＵ４１は、アラームセット信号を受信した旨を示す受信成功信号をBluetoothモジュール４８に送信し、携帯電話１０に対して返信させる（ステップＳ４０３）。それから、ＣＰＵ４１は、受信成功信号に対応して携帯電話１０からアラーム設定データが送信されてくるまで待機する。ＣＰＵ４１は、Bluetoothモジュール４８により受信されたアラーム設定時刻を取得し（ステップＳ４０４）、取得したアラーム設定時刻のデータをアラーム設定データ記憶部４３ａに記憶させる（ステップＳ４０５）。また、ＣＰＵ４１は、アラームセットフラグをセットする（ステップＳ４０６）。そして、ＣＰＵ４１の処理は、ステップＳ４０７に移行する。
【００３９】
ＣＰＵ４１の処理がステップＳ４０７に移行すると、ＣＰＵ４１は、Bluetoothモジュール４８による受信データがアラーム報知機能をオンに設定する信号であるか否かを判別する。アラーム報知機能をオンに設定する信号ではないと判別された場合には、ＣＰＵ４１の処理は、そのままステップＳ４１０へ移行する。アラーム報知機能をオンに設定する信号であると判別された場合には、次に、ＣＰＵ４１は、アラームセットフラグがセットされているか否かを判別する（ステップＳ４０８）。アラームセットフラグがセットされていない、即ち、リセット状態であると判別された場合には、ＣＰＵ４１の処理は、そのままステップＳ４１０へ移行する。アラームセットフラグがセットされていると判別され
た場合には、ＣＰＵ４１は、アラーム報知機能をオンに設定し（ステップＳ４０９）、その後、ＣＰＵ４１の処理は、ステップＳ４１０へ移行する。
【００４０】
次に、ＣＰＵ４１は、ステップＳ４１０の処理において、受信データがアラーム報知機能をオフに設定する信号であるか否かを判別する。アラーム報知機能の設定をオフする信号であると判別された場合には、ＣＰＵ４１は、アラーム報知機能をオフに設定し（ステップＳ４１１）、そして、Bluetooth通信処理を終了する。アラーム報知機能をオフに設定する信号ではないと判別された場合には、ＣＰＵ４１は、そのままBluetooth通信処理を終了する。
【００４１】
図５は、第１実施形態のアラーム補完システムにおいて、携帯電話１０で実行されるアラーム設定に関する処理のＣＰＵ１１による制御手順を示すフローチャートである。
【００４２】
アラーム設定に関するキー操作が行われると、図５に示すようにアラーム設定処理が呼び出され、ＣＰＵ１１は、先ず、操作内容がアラーム報知機能をオンするキー操作であるか否かを判別する（ステップＳ１０１）。アラーム報知機能をオンするキー操作であると判別された場合には、ＣＰＵ１１は、先ず、携帯電話１０におけるアラーム報知機能をオンに設定する（ステップＳ１０２）。それから、ＣＰＵ１１の処理は、ステップＳ１０５へ移行する。
【００４３】
一方、ステップＳ１０１の判別処理において、アラーム報知機能をオンするキー操作ではないと判別された場合には、次に、ＣＰＵ１１は、操作内容がアラーム設定時刻を変更する処理であるか否かを判別する（ステップＳ１０３）。アラーム設定時刻を変更する処理ではないと判別された場合には、ＣＰＵ１１は、アラーム設定処理を終了する。アラーム設定時刻を変更する処理であると判別された場合には、ＣＰＵ１１は、携帯電話１０におけるアラーム設定時刻データを変更し、次に、アラーム報知機能がオンに設定されているか否かを判別する（ステップＳ１０４）。アラーム報知機能がオンではないと判別された場合には、ＣＰＵ１１は、アラーム設定処理を終了する。アラーム報知機能がオンに設定されていると判別された場合には、ＣＰＵ１１の処理は、ステップＳ１０５に移行する。
【００４４】
ＣＰＵ１１の処理がステップＳ１０５に移行すると、ＣＰＵ１１は、ブルートゥース通信により、Bluetoothモジュール２４から電子時計４０へとアラームセット信号を送信させる（ステップＳ１０５）。それから、ＣＰＵ１１は、電子時計４０から受信成功信号が受信されたか否かを判別する（ステップＳ１０６）。ＣＰＵ１１は、受信成功信号が受信されるまでアラームセット信号の送信と受信信号の検出とを繰り返す（ステップＳ１０５、Ｓ１０６）。受信成功信号が受信されたと判別された場合には、ＣＰＵ１１は、ブルートゥース通信により、Bluetoothモジュール２４から電子時計４０にアラーム設定時刻のデータを送信する（ステップＳ１０７）。そして、ＣＰＵ１１は、アラーム設定処理を終了する。
【００４５】
次に、携帯電話１０の電源がオフ、又は、オンされる場合の携帯電話の動作処理について説明する。
図６は、携帯電話の電源がオフされる場合の処理の制御手順を示すフローチャートである。また、図７は、携帯電話の電源がオンされる場合の処理の制御手順を示すフローチャートである。
【００４６】
図６（ａ）に示す電源オフに係る処理は、携帯電話１０のバッテリ電圧を監視するバッテリ監視処理の中で、バッテリ電圧の低下が検出された場合に自動的に行われる処理である。
ＣＰＵ１１は、所定の時間間隔でバッテリ監視処理を開始し、電源監視部２９からの信号を取得して、電源部２８のバッテリ電圧が動作閾値電圧以下であるか否かを判別する（ステップＳ１１１）。この動作閾値電圧は、このバッテリ監視処理における全ての処理が安定して実行完了可能な電圧レベル以上に設定された電圧値である。バッテリ電圧が動作閾値電圧より高いと判別された場合には、ＣＰＵ１１は、そのままバッテリ監視処理を終了する。バッテリ電圧が動作閾値電圧以下であると判別された場合には、ＣＰＵ１１は、アラーム報知機能がオンに設定されているか否かを判別する（ステップＳ１１２）。アラーム報知機能がオンに設定されていると判別された場合には、ＣＰＵ１１は、ブルートゥース通信により、Bluetoothモジュール２４から電子時計４０にアラーム報知機能をオンに設定する信号を送信させる（ステップＳ１１３）。それから、ＣＰＵ１１は、携帯電話１０の電源をオフする処理を実行して（ステップＳ１１４）、バッテリ監視処理を終了する。一方、アラーム報知機能がオンではないと判別された場合には、ＣＰＵ１１は、そのまま携帯電話１０の電源をオフする処理を実行して（ステップＳ１１４）、バッテリ監視処理を終了する。
なお、電源オフ時にＣＰＵ１１の動作を完全に停止する場合には、ＣＰＵ１１の動作停止と共にバッテリ監視処理が終了する。
また、電源監視部２９から動作閾値電圧との比較結果が継続して出力されている場合には、バッテリ電圧が動作閾値電圧以下であることを示す比較結果がＣＰＵ１１に入力された時点で、割り込み処理によりバッテリ監視処理を開始させることとしても良い。
【００４７】
一方、図６（ｂ）に示す電源オフに係る処理は、携帯電話１０の電源をユーザが手動でオフする場合に行われる電源オフ処理である。
ＣＰＵ１１は、操作部１５からの入力信号を検知して、電源オフに係るキー操作が行われた場合に電源オフ処理を実行する。ＣＰＵ１１は、先ず、入力信号に係る操作内容が電源オフのキー操作であるか否かを判別し（ステップＳ１２１）、電源オフのキー操作ではないと判別された場合には、そのまま電源をオフせずに電源オフ処理を終了する。電源オフのキー操作であると判別された場合には、ＣＰＵ１１は、次に、アラーム報知機能がオンに設定されているか否かを判別する（ステップＳ１２２）。アラーム報知機能がオン設定ではないと判別された場合には、ＣＰＵ１１の処理は、ステップＳ１２４へ移行する。アラーム報知機能がオンに設定されていると判別された場合には、ＣＰＵ１１は、ブルートゥース通信により、Bluetoothモジュール２４から電子時計４０にアラーム報知機能をオンする信号を送信させる（ステップＳ１２３）。それから、ＣＰＵ１１の処理は、ステップＳ１２４へ移行する。
【００４８】
ステップＳ１２４の処理へ移行すると、ＣＰＵ１１は、携帯電話の電源をオフする処理を実行する。そして、電源がオフされると、電源オフ処理が終了する。
電源をオフする際に携帯電話１０から電子時計４０へ送信されたアラーム報知機能をオンする信号を受信した電子時計４０は、図４におけるステップＳ４０７〜Ｓ４０９の処理を実行し、携帯電話１０でアラーム設定時刻として設定されていた時刻になると、アラーム報知を実行する。これにより、電池切れで携帯電話１０がオフしている期間であってもアラーム報知が行われる。
【００４９】
次に、携帯電話１０の電源がオンされる場合には、図７に示すように、電源オンのキー操作が行われると、携帯電話１０の一部に電源が供給されて、電源オン処理が開始される。ＣＰＵ１１は、先ず、電源オンのキー操作がなされたか否かについて判別し（ステップＳ１３１）、電源オンのキー操作がなされたと判別された場合には、次いで、ＣＰＵ１１は、バッテリ電圧が所定の動作電圧以上であるか否かを判別する（ステップＳ１３２）。電源オンのキー操作がなされたのではないと判別された場合、又は、バッテリ電圧が所定の動作電圧以下であると判別された場合には、ＣＰＵ１１は、携帯電話１０の電源をオンせずにそのまま電源オン処理を終了する。
【００５０】
ステップＳ１３２の判別処理でバッテリ電圧が所定の動作電圧以上であると判別された場合には、携帯電話の電源オン処理が開始される（ステップＳ１３３）。それから、ＣＰＵ１１は、ブルートゥース通信により、Bluetoothモジュール２４から電子時計４０にアラーム報知機能をオフする信号を送信する（ステップＳ１３４）。そして、電源オン処理を終了する。
電源をオンする際に携帯電話１０から電子時計４０へ送信されたアラーム報知機能をオフする信号を受信した電子時計４０は、図４におけるステップＳ４１０〜Ｓ４１１の処理を実行し、携帯電話１０の代替としてのアラーム報知機能を停止する。
【００５１】
ここで、ステップＳ１３１、Ｓ１３２の処理、及び、Ｓ１３３の処理を呼び出す処理は、特に限られるものではないが、ＲＯＭ１２に格納された初期起動プログラム（ファームウェア）に基づいて実行される。そして、携帯電話の電源オン処理中でＲＯＭ１２や記憶部１４から種々の制御プログラムが読み出されてＲＡＭ１３上に展開されることで、通常の携帯電話１０の動作が開始される。また、ＣＰＵ１１を用いずに電源起動用の小型マイコンを備えることとしても良い。
【００５２】
このように、第１実施形態のアラーム補完システム１では、ブルートゥース通信を利用して携帯電話１０におけるアラーム時刻の設定に基づいて電子時計４０におけるアラーム時刻が設定され、携帯電話１０のアラーム報知機能がオンの際に携帯電話１０の電源がオフとなる場合には、携帯電話１０から電子時計４０に電子時計４０のアラーム報知機能をオンする信号が送られ、携帯電話１０の電源がオンされる場合には、携帯電話１０から電子時計４０に電子時計４０のアラーム報知機能がオフされるので、携帯電話１０の電源を切断する必要がある場合やバッテリ容量の不足により携帯電話１０の電源が自動的にオフされてしまう場合でも、長時間腕に装着されて、また、バッテリ寿命が長く継続的に動作可能な電子時計４０によって携帯電話１０のアラーム機能を受け継ぐことで容易且つ確実にアラーム機能を補完することが出来る。
【００５３】
また、携帯電話１０におけるアラーム機能を補完するアラーム設定と、電子時計４０における独自のアラーム設定とを独自に保持することが出来るので、携帯電話１０の補完設定による上書きを気にせず、電子時計４０においても独自にアラーム機能を利用することが出来る。
【００５４】
［第２実施形態］
図８は、第２実施形態のアラーム補完システム１において、携帯電話における電源オフ処理のＣＰＵによる制御手順を示すフローチャートである。
【００５５】
第２実施形態のアラーム補完システム１の構成は、第１実施形態のアラーム補完システム１の構成と同一であるので、説明を省略する。そして、第２実施形態のアラーム補完システム１の動作は、第１実施形態のアラーム補完システム１の動作と比較して、電源オフ処理においてユーザが手動で電源をオフする場合の電源オフ処理のみが異なり、同一の処理に対しては同一の符号を付して説明を省略する。
【００５６】
第２実施形態のアラーム補完システム１において、携帯電話１０において電源オフ処理が呼び出されて、電源オフのキー操作がなされたと判別され（ステップＳ１２１）、また、アラーム報知機能がオンに設定されていると判別されると（ステップＳ１２２）、ＣＰＵ１１は、ドライバ１８に制御信号を送り、電子時計４０に対してアラーム報知機能をオンにする設定信号を送信するか否かについて、ユーザに選択させる画面を表示部１７に表示させる（ステップＳ１２６）。
【００５７】
それから、ＣＰＵ１１は、操作部１５からの入力信号が検知されるまで待機し、入力信号が得られると、この入力信号からユーザによる選択結果を取得する。そして、ＣＰＵ１１は、アラーム報知機能をオンにする設定信号を送信することが選択されたか否かを判別する（ステップＳ１２７）。アラーム報知機能をオンする設定信号を送信する選択がなされたと判別された場合には、ＣＰＵ１１は、ブルートゥース通信により、Bluetoothモジュール２４から電子時計４０にアラーム報知機能をオンする信号を送信させ（ステップＳ１２３）、それから、携帯電話電源オフ処理を実行する（ステップＳ１２４）。アラーム報知機能をオンする設定信号を送信しない選択がなされたと判別された場合には、ＣＰＵ１１は、当該信号を電子時計４０には送信せずに、携帯電話電源オフ処理を実行する（ステップＳ１２４）。
【００５８】
以上のように、第２実施形態のアラーム補完システム１においては、携帯電話１０の電源を手動でオフする際に、電子時計４０におけるアラーム機能の設定を携帯電話１０のアラーム設定及び電源状態に基づいて自動設定せずに、ユーザの操作部１５への操作に基づいて電子時計４０にアラーム報知機能の補完動作を行わせるか否かを決定することが出来る。ユーザが手動で電源をオフする状況としては、電話機能の利用のみならず、外部にアラーム音声や振動を発することが望ましくない状況も考えられる。本実施形態のアラーム補完システム１では、このような状況で不用意にアラーム機能が実行されてしまうことを防ぎつつ、必要な場合には、電子時計４０によって携帯電話１０のアラーム機能を容易に補完することができる。
【００５９】
［第３実施形態］
図９は、第３実施形態のアラーム補完システム１において、電子時計で行われるBluetooth通信処理のＣＰＵによる制御手順を示すフローチャートである。また、図１０は、第３実施形態のアラーム補完システム１において、携帯電話で行われるアラーム設定処理のＣＰＵによる制御手順を示すフローチャートである。また、図１１は、第３実施形態のアラーム補完システムにおいて、携帯電話で電源がオフされるときに実行される処理のＣＰＵによる制御手順を示すフローチャートである。
【００６０】
この第３実施形態のアラーム補完システム１の構成は、何れも第１実施形態のアラーム補完システム１の構成と同一であり、説明を省略する。また、第３実施形態のアラーム補完システム１の動作手順では、電源オン処理は、図７に示した第１実施形態の動作手順と同一であるので、説明を省略すると共に、図９〜図１１に示したBluetooth通信処理、アラーム設定処理、バッテリ監視処理、及び、電源オフ処理において、第１実施形態と同一の動作処理については、同一の符号を付して説明を省略する。
【００６１】
この第３実施形態のアラーム補完システム１では、電子時計４０と携帯電話１０とのブルートゥース通信による接続状態が通常では常時維持されている。
第３実施形態のアラーム補完システム１の電子時計４０において、Bluetooth通信処理が呼び出された場合、図９に示すように、携帯電話１０から送信されたアラームセット信号に対して受信成功信号を返信（ステップＳ４０３）した後に、ＣＰＵ４１は、携帯電話１０から送信されるアラーム設定データを取得する（ステップＳ４０４ｃ）。このアラーム設定データには、アラーム設定時刻と報知フラグが含まれる。そして、ＣＰＵ４１は、これらのアラーム設定時刻及び報知フラグを取得してアラーム設定データ記憶部４３ａに記憶させる（ステップＳ４０５ｃ）。
【００６２】
ここで、報知フラグとは、携帯電話１０と電子時計４０とのブルートゥース通信のリンクが確立されているか否かに連動して電子時計４０にアラーム機能の補完を行わせるか否かを示すフラグである。即ち、通信リンクが切断された場合に電子時計４０にアラーム機能の補完を行わせる場合には、報知フラグがセットされ、通信リンクが切断されても電子
時計４０にアラーム機能の補完を行わせない場合には、報知フラグがリセットされる。
【００６３】
ＣＰＵ４１は、ステップＳ４０８の判別処理において、アラームセットフラグがセットされていると判別された場合には、続いて、報知フラグがオンであるか否かの判別を行う（ステップＳ４２３）。そして、報知フラグがオンであると判別された場合には、ＣＰＵ４１は、アラーム報知機能をオンに設定する（ステップＳ４０９）。報知フラグがオンではないと判別された場合には、アラーム報知機能をオンに設定せずに、ＣＰＵ４１の処理は、ステップＳ４１０の処理に移行する。
【００６４】
また、ステップＳ４０１の判別処理において、ブルートゥース通信に係る動作内容が、携帯電話１０からデータの受信によるものではないと判別された場合には、ＣＰＵ１１の処理は、ステップＳ４２１へ移行する。そして、ＣＰＵ４１は、携帯電話１０との間で確立されていた通信リンクが切断されたか否かを判別する。通信リンクが切断されたと判別された場合には、ＣＰＵ４１の処理は、ステップＳ４０８に移行する。
【００６５】
ステップＳ４２１の判別処理において、携帯電話１０との通信リンクが切断されたのではないと判別された場合には、ＣＰＵ４１の処理は、更に、ステップＳ４２２へ移行する。そして、ＣＰＵ４１は、携帯電話１０との間で切断されていた通信リンクが確立されたか（再開されたか）否かを判別する。リンクが再び確立されたと判別された場合には、ＣＰＵ４１の処理は、ステップＳ４１１へ移行し、アラーム報知機能をオフに設定する。リンクが再び確立されたのではないと判別された場合には、ＣＰＵ４１は、Bluetooth通信処理を終了する。
【００６６】
一方、アラーム補完システム１において、携帯電話１０で呼び出されるこの第３実施形態のアラーム設定処理では、図１０に示すように、ＣＰＵ１１は、電子時計４０から受信成功信号が受信されたと判別された場合（ステップＳ１０６で“ＹＥＳ”）には、アラーム設定データを送信する（ステップＳ１０７ｃ）。このアラーム設定データには、アラーム機能の実行時刻及び報知フラグが含まれている。そして、ＣＰＵ１１は、アラーム設定処理を終了する。
【００６７】
また、ステップＳ１０３ｃの判別処理において、アラーム設定時刻及び報知フラグの何れも変更されていないと判別された場合には、ＣＰＵ１１は、更に、アラーム報知機能をオフするキー操作が行われたか否かを判別する（ステップＳ１０９）。アラーム報知機能をオフするキー操作が行われたのではないと判別された場合には、そのままアラーム設定処理を終了する。
【００６８】
アラーム報知機能をオフするキー操作が行われたと判別された場合には、ＣＰＵ１１は、先ず、携帯電話のアラーム報知機能をオフに設定する（ステップＳ１１０）。それから、ＣＰＵ１１は、ブルートゥース通信により、Bluetoothモジュール２４から電子時計４０に対してアラームセット信号を送信させる（ステップＳ１０５ｃ）。それから、ＣＰＵ１１は、電子時計４０から受信成功信号が受信されたか否かを判別する（ステップＳ１０６ｃ）。ＣＰＵ１１は、受信成功信号が受信されるまでアラームセット信号の送信と受信信号の検出とを繰り返す（ステップＳ１０５ｃ、Ｓ１０６ｃ）。受信成功信号が受信されたと判別された場合には、ＣＰＵ１１は、ブルートゥース通信により、Bluetoothモジュール２４から電子時計４０に報知フラグをリセットする信号を送信させる（ステップＳ１０７ｄ）。そして、ＣＰＵ１１は、アラーム設定処理を終了する。
【００６９】
第３実施形態のアラーム補完システム１において、携帯電話１０で呼び出されるバッテリ監視処理では、図１１（ａ）に示すように、バッテリ電圧が閾値以下になったと判別された場合には（ステップＳ１１１で“ＹＥＳ”）、続いて、ＣＰＵ１１は、アラーム報知
機能がオン設定であり、且つ、報知フラグがセットされているか否かを判別する（ステップＳ１１２ｃ）。そして、アラーム報知機能がオン設定であり、且つ、報知フラグがセットされていると判別された場合にのみ、ＣＰＵ１１は、ブルートゥース通信により、Bluetoothモジュール２４から電子時計４０にアラーム報知機能をオンする設定信号を送信させる（ステップＳ１１３）。
【００７０】
また、第３実施形態のアラーム補完システム１の携帯電話１０で呼び出される電源オフ処理では、図１１（ｂ）に示すように、電源オフのキー操作がなされたと判別されると（ステップＳ１２１の判別処理で“ＹＥＳ”）、ＣＰＵ１１は、アラーム報知機能がオン設定であり、且つ、報知フラグがセットされているか否かを判別する（ステップＳ１２２ｃ）。そして、アラーム報知機能がオン設定であり、且つ、報知フラグがセットされていると判別された場合にのみ、ブルートゥース通信により、Bluetoothモジュール２４から電子時計４０にアラーム報知機能をオンする設定信号を送信させる（ステップＳ１２３）。
【００７１】
以上のように、第３実施形態のアラーム補完システム１では、アラーム補完機能の動作可否を電子時計４０と携帯電話１０との間のブルートゥース通信における通信リンクの有無に基づいて判断する。また、報知フラグを設定し、この報知フラグがセットされている場合にのみ、通信リンクが切断された際にアラーム補完機能を動作させる。従って、アラーム補完システム１を利用したくない場合には、報知フラグをリセットすることでアラーム補完機能を解除することが出来る。
【００７２】
また、携帯電話１０の電源状態の切り替わりに限らず、電子時計４０から携帯電話１０が離隔されて電子時計４０との間でブルートゥース通信のリンクが切断された場合にも、予め報知フラグを電子時計４０に通知しておくことで、リンク切断の際に携帯電話１０からアラーム報知機能をオンするための信号を受け取ることが出来なくても電子時計４０におけるアラーム報知機能をオンすることが出来る。
【００７３】
また、携帯電話１０におけるアラーム設定時刻は、携帯電話１０でアラーム機能が利用されている場合には、電子時計４０によるアラーム補完機能の動作可否に係わらず携帯電話１０で設定変更される毎に電子時計４０に送信されるので、急な電源の遮断時や通信リンクの切断時でも、携帯電話１０で設定されている所望のアラーム動作時刻にアラーム機能を動作させることが出来る。
【００７４】
なお、本発明は、上記実施の形態に限られるものではなく、様々な変更が可能である。
例えば、上記実施の形態では腕装着型端末として電子腕時計を挙げ、また、外部機器として携帯電話を例に挙げたが、何れも、時計機能、アラーム機能、及び、近距離無線通信手段を備えるものであれば適用可能である。例えば、腕装着型端末としては、電子歩数計、外部機器としては、スマートフォンやＰＤＡ（Personal Digital Assistant）など、種々の電子機器を利用することが出来る。
【００７５】
また、上記実施の形態では、ブルートゥース通信を例に挙げて説明したが、赤外線通信や、ＺＩＧＢＥＥ（登録商標）、ＵＷＢ（Ultra Wide Band）などの他の近距離無線通信手段も利用可能である。
【００７６】
また、上記実施の形態では、アラーム動作時刻の設定とアラーム補完機能のオンオフ設定とはそれぞれ別個に行われたが、アラーム補完機能をオンする際に併せてアラーム動作時刻の設定を行うこととしても良い。
【００７７】
また、外部機器の電源オンオフに係る報知フラグと、通信リンクの有無に係る報知フラグとを別個に設定することも出来る。
【００７８】
また、上記実施の形態では、一台の携帯電話のアラーム機能を補完する場合について説明したが、外部機器の識別番号となるものと関連付けて記憶させることで、複数台の外部機器に対するアラーム補完を一台の腕装着型端末で行うことも可能である。
【００７９】
また、また、上記実施の形態では、アラーム報知の手段（時刻報知動作）としてビープ音、ブザー、発光、振動などを例に挙げたが、携帯電話などの外部機器におけるアラーム報知の方法と電子時計におけるアラーム報知の方法を揃えたり、対応付けて設定したりすることも可能であるし、或いは、外部機器のアラーム補完を行う場合に独自のアラーム報知方法、例えば、ビープ音の音程や音声出力パターンなど、を有する電子時計を用いることとしても良い。
【００８０】
また、上記実施の形態では、携帯電話の電源オンオフ時に電子時計へアラーム機能のオンオフ信号を送信したが、携帯電話から電源のオンオフ状態のみを送信し、アラーム機能のオンオフについては、電子時計の側で判断することにしてもよい。更に、通信リンクの有無に基づいて判断する場合には、携帯電話から電子時計に電源状態やアラーム機能のオンオフについての制御信号を送信しないこととしても良い。
【００８１】
また、以上の説明では、本発明に係るプログラムのコンピュータ読み取り可能な媒体としてＲＯＭ４２を使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウェーブ（搬送波）も本発明に適用される。
【００８２】
その他、上記実施の形態で示した電子時計４０及びアラーム補完システム１に係る構成及び動作の細部は、本発明の趣旨を逸脱しない範囲において適宜変更可能である。
【００８３】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８４】
［付記］
＜請求項１＞
現在時刻を計数する計時手段と、
設定された動作時刻に所定の時刻報知動作を実行させる時刻報知手段と、
時刻報知動作を実行可能な外部機器との間で無線通信によりデータの送受信を行う無線通信手段と、
前記無線通信手段により取得された前記外部機器における時刻報知動作の設定データ、及び、前記外部機器の電源状態の情報に基づいて、前記時刻報知手段の動作可否、及び、前記動作時刻に係る補完動作設定を行う補完動作設定手段と、
を備えることを特徴とする腕装着型端末。
＜請求項２＞
前記補完動作設定手段は、
前記無線通信手段により取得された前記外部機器の電源状態がオフの間、前記補完動作設定に従って前記時刻報知手段が動作可能となるように設定する
ことを特徴とする請求項１に記載の腕装着型端末。
＜請求項３＞
前記時刻報知手段の動作可否、及び、前記動作時刻に係る動作設定を操作入力する操作手段と、
当該操作手段により設定された前記動作設定と、前記補完動作設定とを別個に記憶する設定記憶手段と、
を備え、
前記時刻報知手段は、前記動作設定及び前記補完動作設定の各々に基づいて前記所定の時刻報知動作を実行させる
ことを特徴とする請求項１又は２に記載の腕装着型端末。
＜請求項４＞
前記補完動作設定には、前記時刻報知手段の動作可否に係る設定と、前記無線通信手段による前記外部機器との通信接続状態とを連動させるか否かを示す報知フラグが含まれ、
前記補完動作設定手段は、
前記外部機器との通信接続が切断されている間、前記報知フラグに基づいて前記時刻報知手段の動作可否の設定を行う
ことを特徴とする請求項１〜３の何れか一項に記載の腕装着型端末。
＜請求項５＞
現在時刻を計数する外部計時手段と、
設定された外部動作時刻に時刻報知動作を実行させる外部時刻報知手段と、
前記外部時刻報知手段の動作可否、及び、前記外部動作時刻に係る外部動作設定を入力操作する外部操作手段と、
前記外部操作手段により入力操作された前記外部時刻報知手段についての外部動作設定を記憶する外部設定記憶手段と、
前記外部設定記憶手段に記憶された前記外部動作設定を、時刻報知動作が実行可能な他の機器へ送信可能な外部無線通信手段と、
を備える外部機器と、
請求項１〜３の何れか一項に記載の腕装着型端末と、
を備える時刻報知機能補完システムであって、
前記外部機器の電源がオフされる際には、前記外部動作設定に含まれる前記外部時刻報知手段の動作可否に係る設定が前記外部無線通信手段により前記腕装着型端末に送信されて、前記補完動作設定が更新され、
前記外部機器の電源がオンされると、前記外部無線通信手段により、時刻報知動作をオフする設定が前記腕装着型端末に送信されて、前記補完動作設定が更新される
ことを特徴とする時刻報知機能補完システム。
＜請求項６＞
前記外部操作手段は、操作入力に基づいて当該外部機器の電源を手動でオフすることが可能であり、当該外部機器の電源をオフする際に、前記外部設定記憶手段に記憶された前記外部時刻報知手段の動作可否に係る設定を前記外部無線通信手段により前記腕装着型端末に送信するか否かを選択操作可能である
ことを特徴とする請求項５に記載の時刻報知機能補完システム。
＜請求項７＞
前記外部設定記憶手段に記憶された前記外部動作時刻に係る設定が変更された場合には、前記外部無線通信手段は、前記変更された外部動作時刻に係る設定を前記腕装着型端末に前記動作時刻として送信する
ことを特徴とする請求項５又は６に記載の時刻報知機能補完システム。
＜請求項８＞
前記外部機器は、
前記腕装着型端末における前記時刻報知手段の動作可否に係る設定と、前記無線通信手段による前記腕装着型端末との通信接続状態とを連動させるか否かを示す報知フラグを設定する報知フラグ設定手段を備え、
前記補完動作設定には、前記無線通信手段により取得された前記報知フラグが含まれ、
前記補完動作設定手段は、
前記外部機器との通信接続が切断されている間、前記報知フラグに基づいて前記時刻報知手段の動作可否の設定を行う
ことを特徴とする請求項５〜７の何れか一項に記載の時刻報知機能補完システム。
＜請求項９＞
現在時刻を計数する計時手段と、外部機器との間で通信データの送受信を行う無線通信手段と、を備えるコンピュータを、
設定された動作時刻に所定の時刻報知動作を実行させる時刻報知手段、
前記無線通信手段により取得された前記外部機器における時刻報知動作の設定データ、及び、前記外部機器の電源状態の情報に基づいて、前記時刻報知手段の動作可否、及び、前記動作時刻に係る補完動作設定を行う補完動作設定手段、
として機能させるためのプログラム。
【符号の説明】
【００８５】
１     アラーム補完システム
１０   携帯電話
１１   ＣＰＵ
１２   ＲＯＭ
１３   ＲＡＭ
１４   記憶部
１５   操作部
１６   内蔵時計
１７   表示部
１８   ドライバ
１９   スピーカ
２０   マイク
２１   コーデック
２２   ＲＦ送受信回路
２３   通信回路
２４   Bluetoothモジュール
２５   ＵＡＲＴ
２６   振動モータ
２７   ドライバ
２８   電源部
２９   電源監視部
３０   バス
４０   電子時計
４１   ＣＰＵ
４２   ＲＯＭ
４２ａ アラーム補完プログラム
４３   ＲＡＭ
４３ａ アラーム設定データ記憶部
４４   操作部
４５   計時回路
４６   表示部
４７   ドライバ
４８   Bluetoothモジュール
４９   ＵＡＲＴ
５０   振動モータ
５１   ドライバ
５２   ＬＥＤ
５３   ドライバ
５４   ピエゾ素子
５５   ドライバ
５６   音声出力部
５７   バス
ＡＮ１１、ＡＮ１２、ＡＮ４  アンテナ
【図１】
0005712800.tif 000002
【図２】
0005712800.tif 000003
【図３】
0005712800.tif 000004
【図４】
0005712800.tif 000005
【図５】
0005712800.tif 000006
【図６】
0005712800.tif 000007
【図７】
0005712800.tif 000008
【図８】
0005712800.tif 000009
【図９】
0005712800.tif 000010
【図１０】
0005712800.tif 000011
【図１１】
0005712800.tif 000012